(57)【要約】  【課題】点灯装置62が天井構造物81と干渉するのを容易に回避させて埋め込み設置できる天井埋込形照明器具11を提供する。  【解決手段】器具本体21の周辺形状を円形とし、器具本体21内に円環状の蛍光ランプ14を内包する。器具本体21内の周辺域に、蛍光ランプ14を接続するランプソケット29を設ける。器具本体21上の周辺域でかつランプソケット29の上方位置に、点灯装置62を設ける。天井側への施工時に、器具本体21を天井板12の埋込孔13に埋め込み設置する。器具本体21を埋め込み設置する際、点灯装置62が天井構造物81に干渉する場合、器具本体21を回動させて取付方向を変え、点灯装置62が天井構造物81に干渉するのを回避させる。ランプソケット29と点灯装置62との配線距離を短くし、蛍光ランプ14の点灯効率を向上させる。  【選択図】図１
2005071701.tif 000002
【特許請求の範囲】
【請求項１】
周辺形状が円形および正多角形のいずれか一方で、環状のランプを内包し、天井側に埋め込み設置される器具本体と；
器具本体内の周辺域に設けられ、ランプを接続するランプソケットと；
器具本体上の周辺域でかつランプソケットの上方位置に設けられた点灯装置と；
を具備していることを特徴とする天井埋込形照明器具。
【請求項２】
器具本体上に、環状のランプに沿った方向から配線する端子台を備えた
ことを特徴とする請求項１記載の天井埋込形照明器具。
【請求項３】
器具本体の周辺部に、天井側に取り付ける取付手段を設けた
ことを特徴とする請求項１または２記載の天井埋込形照明器具。
【発明の詳細な説明】
【技術分野】
【０００１】
本発明は、環状のランプを用いる天井埋込形照明器具に関する。
【背景技術】
【０００２】
従来、例えば、直管形のランプを用いる天井埋込形照明器具では、長方形の器具本体内の長手方向の両端にランプを接続するランプソケットが取り付けられ、器具本体の上面に点灯装置が取り付けられており、施工時には、器具本体を天井板に形成された埋込孔に埋め込み、天井に予め設けられている複数の吊ボルトに器具本体を取り付けて吊下げ設置している。
【０００３】
しかし、施工時において、器具本体の上面に取り付けられた点灯装置が天井構造物などに干渉し、器具本体を埋め込み設置できない場合がある。そこで、点灯装置を器具本体の中心より一端側にずらした位置に取り付け、施工時において、点灯装置が天井構造物に干渉する場合には、器具本体の向きを１８０°変えることで、点灯装置が天井構造物に干渉するのを回避させて埋め込み設置している（例えば、特許文献１参照）。
【０００４】
また、円環状のランプを用いる天井埋込形照明器具では、円形の器具本体内の周辺域にランプソケットが取り付けられ、この器具本体内の中央域に点灯装置が取り付けられるか、点灯装置が器具本体の外側に配置される場合には器具本体の上面中央に点灯装置が取り付けられている。
【特許文献１】特開平１０−３０２５２９号公報（第３−４頁、図１）
【発明の開示】
【発明が解決しようとする課題】
【０００５】
円環状のランプを用いる天井埋込形照明器具では、点灯装置が器具本体の外側に配置される場合、点灯装置を器具本体の上面中央に取り付けているため、施工時において、点灯装置が天井構造物と干渉する場合、器具本体を埋め込み設置できず、天井構造を見直さなければならない問題がある。
【０００６】
また、円環状のランプを用いる天井埋込形照明器具において、直管形のランプを用いる天井埋込形照明器具と同様に、点灯装置を器具本体の中心からずれた位置に設け、点灯装置が天井構造物に干渉する場合には、器具本体の向きを１８０°変えることで、点灯装置が天井構造物に干渉するのを回避させることが考えられるが、天井構造物の位置によっては器具本体の向きを１８０°変えても干渉を回避できない場合もある。
【０００７】
本発明は、このような点に鑑みなされたもので、点灯装置が天井構造物と干渉するのを容易に回避させて埋め込み設置できる天井埋込形照明器具を提供することを目的とする。
【課題を解決するための手段】
【０００８】
請求項１記載の天井埋込形照明器具は、周辺形状が円形および正多角形のいずれか一方で、環状のランプを内包し、天井側に埋め込み設置される器具本体と；器具本体内の周辺域に設けられ、ランプを接続するランプソケットと；器具本体上の周辺域でかつランプソケットの上方位置に設けられた点灯装置とを具備しているものである。
【０００９】
そして、この構成では、環状のランプを内包する器具本体の周辺形状を円形および正多角形のいずれか一方とし、この器具本体上の周辺域でかつランプソケットの上方位置に点灯装置を設けたため、天井側への施工時に、点灯装置が天井構造物に干渉する場合でも、器具本体を回動させて器具本体の取付方向を変えることにより、点灯装置が天井構造物に干渉するのを容易に回避させて埋め込み設置可能になり、しかも、ランプソケットと点灯装置との配線距離が短くなり、ランプの点灯効率が向上する。
【００１０】
請求項２記載の天井埋込形照明器具は、請求項１記載の天井埋込形照明器具において、器具本体上に、環状のランプに沿った方向から配線する端子台を備えたものである。
【００１１】
そして、この構成では、器具本体上に、環状のランプに沿った方向から配線する端子台を設けたため、器具本体の取付方向や天井構造物などの位置にかかわらず、容易に配線可能になる。
【００１２】
請求項３記載の天井埋込形照明器具は、請求項１または２記載の天井埋込形照明器具において、器具本体の周辺部に、天井側に取り付ける取付手段を設けたものである。
【００１３】
そして、この構成では、器具本体の周辺部に、天井側に取り付ける取付手段を設けたため、器具本体を回動させて器具本体の取付方向を変えることが許容される。
【発明の効果】
【００１４】
請求項１記載の天井埋込形照明器具によれば、環状のランプを内包する器具本体の周辺形状を円形および正多角形のいずれか一方とし、この器具本体上の周辺域でかつランプソケットの上方位置に点灯装置を設けたため、天井側への施工時に、点灯装置が天井構造物に干渉する場合でも、器具本体を回動させて器具本体の取付方向を変えることにより、点灯装置が天井構造物に干渉するのを容易に回避させて設置でき、しかも、ランプソケットと点灯装置との配線距離を短くでき、ランプの点灯効率を向上できる。
【００１５】
請求項２記載の天井埋込形照明器具によれば、請求項１記載の天井埋込形照明器具の効果に加えて、器具本体上に、環状のランプに沿った方向から配線する端子台を設けたため、器具本体の取付方向や天井構造物などの位置にかかわらず、容易に配線できる。
【００１６】
請求項３記載の天井埋込形照明器具によれば、請求項１または２記載の天井埋込形照明器具の効果に加えて、器具本体の周辺部に、天井側に取り付ける取付手段を設けたため、器具本体を回動させて器具本体の取付方向を変えることを許容できる。
【発明を実施するための最良の形態】
【００１７】
以下、本発明の一実施の形態を図面を参照して説明する。
【００１８】
図１は天井埋込形照明器具の施工状態の断面図、図２は天井埋込形照明器具の施工状態の一部を省略した斜視図、図３は天井埋込形照明器具の斜視図、図４は天井埋込形照明器具の側面図である。
【００１９】
天井埋込形照明器具11は、天井板12に形成された円形の埋込孔13を通じて天井板12内に埋込み設置されるもので、複数の環状のランプとして、ランプ出力の大きさが異なる２本の円環状の蛍光ランプ14が用いられている。この蛍光ランプ14は、口金14a、この口金14aに両端が接続された円環状の発光管14bを有している。
【００２０】
天井埋込形照明器具11は、埋込孔13を通じて天井板12に埋め込み設置される円形の器具本体21を有し、この器具本体21内の周辺域に２本の蛍光ランプ14が水平に並んで配置されている。この器具本体21は、例えばアルミニウム製の板材から絞り加工によって下方へ向けて開口した断面略逆Ｕ字形に一体成形されており、上面部22を有し、この上面部22の周囲から下方へ向けて周面部（器具本体周面部）23が形成され、この周面部23の下端周縁から天井板12の下面に接合される縁部24が形成されている。この周面部23の下部側には、周面部23より外面側に突出して天井板12の埋込孔13内に配置される段部25が形成されている。
【００２１】
器具本体21の周面部23は下方へ向けて拡開する傾斜面状に形成され、上面部22と周面部23とは湾曲部26によって連続した面に形成されており、これら上面部22、湾曲部26および周面部23の蛍光ランプ14に対向する内面に、例えば白色塗装や鏡面仕上によって処理された器具本体側反射面27が形成されている。
【００２２】
器具本体21の上面部22には、各蛍光ランプ14の口金14aが接続されるランプソケット29がそれぞれ取り付けられているとともに、各蛍光ランプ14の口金14aと反対側の発光管14bの部分が着脱可能に保持するランプホルダ30がそれぞれ取り付けられている。ランプソケット29は蛍光ランプ14の口金14aを着脱可能に保持するホルダ機能も有している。そして、各ランプソケット29および各ランプホルダ30は、それぞれ周方向に位置をずらして配置され、各蛍光ランプ14の着脱操作を容易にしている。
【００２３】
また、器具本体21の中央域であって蛍光ランプ14の内側域には、電気機器33を収容可能とする空間である電気機器収容部34が形成されている。この電気機器収容部34に対応する上面部22の中央には電気機器33を突出状態に配置可能とする上面開口部35が形成されている。
【００２４】
器具本体21内の中央域であって蛍光ランプ14の内側域には、電気機器収容部34の周面および下面を覆うカバー38が着脱可能に配設されている。このカバー38は、例えばアルミニウム製の板材から絞り加工によって上方へ向けて開口した断面略Ｕ字形に一体成形されており、下面部39を有し、この下面部39の周囲から上方へ向けて周面部（カバー周面部）40が形成され、この周面部40の上端周縁から器具本体21の上面部22の内面に例えばねじ止めによって取り付けられる取付部41が形成されている。周面部40の下部外周には段部42が形成されている。
【００２５】
カバー38の周面部40は、上方へ向けて拡開し、上端側が器具本体21の周面部23および蛍光ランプ14に接近するように傾斜面状に形成されており、この周面部40の蛍光ランプ14に対向する外面に、例えば白色塗装や鏡面仕上によって処理されたカバー側反射面43が形成されている。カバー38の下面部39には電気機器33が取り付けられ、その下面部39には電気機器33が下方に臨むカバー開口部44が形成されている。
【００２６】
そして、器具本体21とカバー38との間には、２本の蛍光ランプ14が水平に配置される円環状のランプ収納部46が形成され、このランプ収納部46の下面に光を照射する円環状の照射開口47が形成されている。このランプ収納部46内に臨んで器具本体側反射面27およびカバー側反射面43が対向するように設けられ、円環状の蛍光ランプ14を覆うとともに下方へ向けて開口する断面略逆Ｕ字形の反射面48が構成されている。
【００２７】
器具本体21とカバー38との間の照射開口47には蛍光ランプ14の光を制光する制光体51が配設されている。この制光体51は、ルーバ体であり、器具本体21の段部25の内周に取り付けられる円環状の外側枠部52、カバー38の段部42の外周に取り付けられる円環状の内側枠部53、これら外側枠部52と内側枠部53との間に放射状に取り付けられる複数のルーバ54を備えている。ルーバ片54は、器具本体側反射面27側の上下方向の幅よりもカバー側反射面43側の上下方向の幅の方が短い台形状に形成されている。
【００２８】
また、カバー38に取り付けられる電気機器33は、例えば、図３に示すように、ダウンライトなどの照明装置57で、下面を開口する円筒状の装置本体58がカバー38の下面部39に取り付けられ、この装置本体58内にはこの装置本体58の頂部に配置される図示しないソケットに着脱可能に接続されてランプとしての電球形蛍光ランプ59が配置されている。なお、カバー38には、照明装置57を取り付ける取付部が設けられている。
【００２９】
また、器具本体21の上面の中心より周辺域に寄った位置でかつランプソケット29の上方の真上位置には、蛍光ランプ14を点灯させるインバータ点灯回路を有する点灯装置62が配設されている。点灯装置62は、器具本体21の上面にねじ止め固定されるケース63を有し、このケース63内にインバータ点灯回路を実装した回路基板64などが収納されている。ケース63の外面には回路基板64に接続された端子台65が取り付けられ、この端子台65には複数の電線挿入孔66が形成され、これら各電線挿入孔66の内側に電線に接続される端子が配設されている。端子台65の電線挿入孔66には、天井側に配線されている電源線、電気機器33の給電するリード線、他の天井埋込形照明器具などに電源を送るための送り配線などが挿入接続される。そして、端子台65の電線挿入孔66へ各種電線を挿入して接続する配線方向Ａは、円環状の蛍光ランプ14の発光管14bの管軸に沿った方向に対応している。
【００３０】
また、器具本体21の周辺部には、天井板12にワンタッチ取り付けするワンタッチ取付手段としての取付手段69が設けられている。この取付手段69は、器具本体21の周辺部の複数箇所に取り付けられた複数の取付片70を有し、これら取付片70は、ばね性を有する例えば金属板製で、一端が器具本体21の周面部23の段部25に取り付けられ、他端が斜め上方に突出されている。取付片70には、器具本体21の周面部23の段部25に取り付けられる取付部71が形成され、この取付部71から段部25より外方であって天井板12の埋込孔13の内径寸法より外方に突出する係合部72が形成され、この係合部72の先端から段部25より内方であって器具本体21の中心側に向かうガイド部73が形成されている。
【００３１】
そして、施工時においては、器具本体21の上部側および各取付片70の先端側を天井板12の埋込孔13に挿入し、各取付片70が斜め上方に突出する周方向に対応した取付方向Ｆへ向けて器具本体21を回動させながら器具本体21を押し上げる。これにより、各取付片70のガイド部73が埋込孔13の内縁に当接して取付片70が器具本体21の内方へ弾性変形し、係合部72が天井板13の上方域まで挿入されれば取付片70が弾性によって器具本体21の外方へ突出するように開き、係合部72の下縁が天井板12の上面に係合し、その天井板12の上面との係合によって取付片70がさらに開く。器具本体21の縁部24が天井板12の下面に接合し、この縁部24と各取付片70との間で天井板12を挟持し、器具本体21の取り付けを完了する。
【００３２】
また、器具本体21を取り外す場合には、器具本体21を取付方向Ｆに対し反対方向に回動させることにより、取付時と反対の動作で器具本体21を取り外すことができる。
【００３３】
また、図１および図２に示すように、天井板12の埋込孔13の中央上方を通過するように天井構造物81が位置していた場合でも、器具本体21を回動させて取付方向を変えて、点灯装置62が天井構造物81に干渉しない位置に合わせることにより、器具本体21を埋め込み設置できる。
【００３４】
このように、円環状の蛍光ランプ14を内包する器具本体21の周辺形状を円形とし、この器具本体21上の周辺域でかつランプソケット29の上方位置に点灯装置62を設けているため、天井側への施工時に、点灯装置62が天井構造物81に干渉する場合でも、器具本体21を回動させて器具本体21の取付方向を変えることにより、点灯装置62が天井構造物81に干渉するのを容易に回避させて設置できる。特に、器具本体21の周辺形状が円形であれば、任意に回動させることができるため、点灯装置62が天井構造物81に干渉するのを容易に回避させて設置できる。
【００３５】
しかも、ランプソケット29の真上の近接位置に点灯装置62を設けているため、ランプソケット29と点灯装置62との配線距離を短くでき、インバータ点灯回路によって蛍光ランプ14を高周波点灯させる点灯効率を向上できる。
【００３６】
また、端子台65には円環状の蛍光ランプ14に沿った配線方向Ａから電線を配線するため、器具本体21の中央域に電気機器33が配置されていたり、器具本体21の外側方に天井構造物81が位置していても、これら電気機器33や天井構造物81に干渉せずに電線を容易に配線できる。
【００３７】
また、器具本体21の周辺部に、天井側に取り付ける取付手段69を設けたため、器具本体21を回動させて器具本体21の取付方向を変えることを許容できる。
【００３８】
なお、電気機器33としては、照明装置57に限らず、例えば、非常灯、スピーカなどを適用することもできる。
【００３９】
また、環状のランプとしては、円環状の蛍光ランプ14に限らず、四角形状の蛍光ランプなど、閉じた形状のランプつまり環状のランプを用いることができる。そして、用いるランプの形状に対応して、器具本体21およびカバー38の形状を対応させる。
【００４０】
四角形状の蛍光ランプを用いる場合には、器具本体21の周辺形状は正四角形とし、器具本体21を回動させて器具本体21の取付方向を変えるには９０°ずつ回動角度を調整することにより、点灯装置62が天井構造物81に干渉するのを容易に回避させて設置できる。
【００４１】
器具本体21の周辺形状は、円形に限らず、正四角形を含む正多角形に形成してもよく、正多角形の場合にも器具本体21を正多角形の角部の数に対応した所定角度ずつ回動させて器具本体21の取付方向を変えることができる。
【図面の簡単な説明】
【００４２】
【図１】本発明の一実施の形態を示す天井埋込形照明器具の施工状態の断面図である。
【図２】同上天井埋込形照明器具の施工状態の一部を省略した斜視図である。
【図３】同上天井埋込形照明器具の斜視図である。
【図４】同上天井埋込形照明器具の側面図である。
【符号の説明】
【００４３】
11    天井埋込形照明器具
14    ランプとしての蛍光ランプ
21    器具本体
29    ランプソケット
62    点灯装置
65    端子台
69    取付手段
【図１】
2005071701.tif 000003
【図２】
2005071701.tif 000004
【図３】
2005071701.tif 000005
【図４】
2005071701.tif 000006